(57)【要約】      （修正有）【課題】縦枠の受け入れ部の寸法、例えば横向き凹所の奥行き（切欠の深さ）を小さくする。【解決手段】縦枠の受け入れ部内に角形のケース部が嵌め込まれるトロヨケと、このトロヨケ内に嵌め込まれる錠片用受け体と、この錠片用受け体をケース部内に固定的に規制する前面取付け板とから成る錠前用受け具に於いて、ケース部の水平側壁と錠片用受け体の上下方向の端部に互いに係合となる第１の位置変位規制手段を形成し、また、ケース部の奥部に相当する垂直底壁に直交する左右の対向垂直側壁と錠片用受け体の左右の垂直係合壁に互いに係合となる第２の位置変位規制手段を形成した。【選択図】図１
2010037778.tif 000002
【特許請求の範囲】
【請求項１】
縦枠の受け入れ部内に角形のケース部が嵌め込まれるトロヨケと、このトロヨケ内に嵌め込まれる錠片用受け体と、この錠片用受け体を前記ケース部内に固定的に規制する前面取付け板とから成る錠前用受け具に於いて、前記ケース部の水平側壁と前記錠片用受け体の上下方向の端部に互いに係合となる第１の位置変位規制手段を形成し、また、前記ケース部の奥部に相当する垂直底壁に直交する左右の対向垂直側壁と前記錠片用受け体の左右の垂直係合壁に互いに係合となる第２の位置変位規制手段を形成したことを特徴とする錠前用受け具。
【請求項２】
請求項１に於いて、前面取付け板には水平方向に連設する支持片が設けられ、該支持片の左右の端面は、前面取付け板を縦枠に固定したとき、トロヨケ内に入り込んで、錠片用受け体の左右の垂直係合壁の内壁面に支え棒の如く当接することを特徴とする錠前用受け具。
【発明の詳細な説明】
【技術分野】
【０００１】
本発明は、錠片（カマ片、カマ片及びデッドボルト）の先端部が係入することによって戸（例えば引戸）を閉止する錠前用受け具に関する。
【背景技術】
【０００２】
特許文献１には、「その基本的構成が、戸枠の縦枠の受け入れ部内に角形ケース部が嵌め込まれるトロヨケと、このトロヨケの前面開口から該トロヨケ内に嵌め込まれる錠片用受け体と、この錠片用受け体を前記角形ケース部内に固定的に規制する前面取付け板とから成る錠前用受け具」が開示されている。
【０００３】
具体的には、一面が開口した細長い箱状のトロヨケ１と、このトロヨケの開口と一部重合する細長いストライク孔４を開口させ、トロヨケと共に扉枠に装着されるストライク板３と、上記トロヨケの内側に収納されるようにしてこれに装着される係止枠５とを有してなり、この係止枠５は、板材を断面コ時形に折り曲げて成形した枠体の、背板の一端部を係止片（係止壁）として残し他の部分を切欠き、一方、枠体の両袖板（垂直係合壁）７、７の外法寸法をトロヨケ１の開口の幅の内法寸法とほぼ同じく設定すると共に、その長さをトロヨケの開口の長さより短く設定し、以て係止枠５をトロヨケ内に嵌め込むことができるようにし、他方、係止枠５の係止片６がストライク板３の開口の一端部にこれとほぼ同一平面で嵌まり込むように係止枠５の形状、寸法を設定し、係止枠５とトロヨケ１とを結合手段により一体的に結合するというもの（例えば引戸錠用ストライク）である。
【０００４】
しかしながら、前記係止枠５とトロヨケ１とを一体的に結合する結合手段（位置変位規制手段）は、トロヨケ１の角形ケース部の垂直底壁の外壁面から突出する上下一対の係合爪片８、８なので、戸枠の縦枠の受け入れ部の寸法、例えば横向き凹所の奥行き（切欠の深さ）又は縦枠がサッシ型である場合には縦長開口を有する角形筒部の奥行き（受け入れ用の内部空間）を小さくすることができないという問題点があった。付言すると、前記係合爪片８、８の突出量が多く成るように形成すればするほど、縦枠の受け入れ部の奥行き或は内部空間を大きくしなければならない。
【０００５】
また、特許文献１の角形ケース部の垂直底壁及び水平側壁に直交する左右の対向垂直側壁と前記錠片用受け体の左右の垂直係合壁に互いに係合となる位置変位規制手段（例えば係合孔１１と係合突起１２）が設けられているが、前記角形ケース部内に錠片用受け体を嵌め込んだときに於いて、錠片用受け体５の左右の垂直係合壁７，７が所要の弾性変位復帰機能を有しない場合には、位置変位規制手段１１、１２が十分な規制を発揮しない場合が在る。付言すると、左右の垂直係合壁７，７の剛性機能（強度性）を重視したために、左右の垂直係合壁７，７が十分な弾性力を有しない場合に於いて、嵌合時に若干内側に変位させた左右の垂直係合壁７，７が初期状態へと復帰しないため、その係合突起１２がトロヨケ１の係合孔１１に十分に係合しない場合が在る。
【特許文献１】特開２００７−２３９３７３号公報
【発明の開示】
【発明が解決しようとする課題】
【０００６】
本発明の所期の目的は、特許文献１の問題点を解決することである。すなわち、戸枠の縦枠の受け入れ部の寸法、例えば横向き凹所の奥行き（切欠の深さ）Ｄ、又は縦枠がサッシである場合には縦長開口を有する角形筒部の奥行き（内部空間）Ｄを小さくすることができることである。第２の目的は、錠片用受け体（例えば係止枠）の弾性力が十分でない場合であっても、前面取付け板を戸枠の縦枠に一旦固定すると、錠片用受け体はトロヨケから全く外れないと共に、受け具全体を強靭にすることができることである。
【課題を解決するための手段】
【０００７】
本発明の錠前用受け具は、縦枠の受け入れ部内に角形のケース部が嵌め込まれるトロヨケと、このトロヨケ内に嵌め込まれる錠片用受け体と、この錠片用受け体を前記ケース部内に固定的に規制する前面取付け板とから成る錠前用受け具に於いて、前記ケース部の水平側壁と前記錠片用受け体の上下方向の端部に互いに係合となる第１の位置変位規制手段を形成し、また、前記ケース部の奥部に相当する垂直底壁に直交する左右の対向垂直側壁と前記錠片用受け体の左右の垂直係合壁に互いに係合となる第２の位置変位規制手段を形成したことを特徴とする。該構成に於いて、前面取付け板には水平方向に連設する支持片が設けられ、該支持片の左右の端面は、前面取付け板を縦枠に固定したとき、トロヨケ内に入り込んで、錠片用受け体の左右の垂直係合壁の内壁面に支え棒の如く当接することを特徴とする。
【発明の効果】
【０００８】
（ａ）特許文献１のように、錠片用受け体（係止枠５）の両袖板（垂直係合壁７、７）の後端に鉤状に突設した係合爪８がトロヨケの垂直底壁の外壁面から突出しないので、例えば縦枠がサッシである場合には縦長開口を有する角形筒部の奥行き（内部空間）を小さくすることができることである。付言すると、トロヨケの底部からの突出を無くし、より狭い枠に装着可能である。
（ｂ）請求項２に記載の発明は、受け具の組立ての容易性を維持しつつ、各部材がバラバラに成らない構造を得ることができる。また、錠片用受け片を強靭にすることができる。
【発明を実施するための最良の形態】
【０００９】
以下、図１乃至図５に示す本発明を実施するための最良の形態により説明する。
【００１０】
（１）発明の実施の環境
図１は発明の実施の環境を示す分解斜視図である。この図１で示すように、錠前用受け具Ｘの基本的構成は、戸枠１の縦枠２の受け入れ部内に角形のケース部１２（以下、「ケース部」という。）が嵌め込まれるトロヨケ１１と、このトロヨケの前面開口１３から該トロヨケ内に嵌め込まれる錠片用受け体２１（以下、「受け体」という。）と、この受け体を前記ケース部内に固定的に規制する前面取付け板３１とから成る。したがって、錠前用受け具Ｘの基本的構成の物品は、「トロヨケ１１」と、「受け体２１」と、「前面取付け板３１」の３つである。以下、本発明の特定要件について順次説明するが、細部的な事項の説明は割愛する。
【００１１】
（２）縦枠２
まず、本実施例の縦枠２は、普通一般に使用されているサッシである。図１で示すように縦枠２を横断面にすると、角形の筒部であって、その前壁には上下方向に長尺な取付け開口３が形成されている。したがって、受け入れ部は、前記長尺な取付け開口３を有する前壁４と、この前壁４に対向する底壁５と、この底壁５及び前壁４に直交する左右の側壁６、６とから成り、前記前壁４の内壁面４ａと前記底壁５の内壁面５ａとの間の寸法Ｄが、トロヨケ１の角形ケース部１２が入り込む奥行き（受け入れ内部空間）と成る。なお、受け入れ内部空間は、もちろん、縦枠がサッシでない場合には横向き凹所である。また、前記前壁４の上下の適宜部位には、固着具７用の取付け孔８、８が形成されている。
【００１２】
（３）トロヨケ１１と受け体２１
本実施例のトロヨケ１１は、ケース部１２の前面に上下方向に長い開口を有する箱状体である。ここで、図１を参照にしてケース部１２の各壁に符号を付す。１２ａは前面開口の奥に存在する垂直底壁、１２ｂは左右の対向垂直側壁、１２ｃは上壁に相当する一方の水平側壁、１２ｄは下壁に相当する他方の水平側壁である。
【００１３】
しかして、前記上壁１２ｃの垂直底壁１２ａ寄りの部位には、任意形状の左右一対の第１係合孔１３が形成され、これらの第１係合孔１３は、受け体２１の上端部（一端部）に突出形成した突起状、爪状、鉤状等の第１係合突起２４と共に、第１の位置変位規制手段を構成する。
【００１４】
また、前記左右の対向垂直側壁１２ｂの下端部或は下端部寄りの部位には、左右一対の第２係合孔１４が形成され、これらの第２係合孔１４は、受け体２１の垂直係合壁２２の下端部（他端部）に突出形成した小突起状の第２係合突起２５と共に、第２の位置変位規制手段を構成する。その他、トロヨケ１１のケース部１２の上下の開口端縁には上下一対の取付け突片１５が連設形成されている。
【００１５】
ところで、前記受け体２１は、左右一対の垂直係合壁２２と、これらの垂直係合壁２２の上端部を前側で接続する垂直の係止壁２３とから成る。付言すれば、受け体２１は、左右一対の垂直係合壁２２と、これらの垂直係合壁２２と直交するように前側の一端部（例えば上端部）に連設する錠片用係止壁２３とから成る係止枠体なので、例えば係止壁２３の上下方向の下端側は開口（切欠）２６している。したがって、受け体２１をトロヨケ１１のケース部１２内に嵌め込んでも、錠前の錠片（例えばカマ片）の先端部は前記開口（切欠）２６から枠状の受け体２１内へと入り込むことができる。また、受け体２１は、図２で示すように、左右一対の垂直係合壁２２と直交する垂直の係止壁２３を有するため、平面視コ字形状である。
【００１６】
前述したように、本実施例の受け体２１は、垂直係合壁２２の上端部にケース部１２の上壁１２ｂの第１係合孔１３に係入する左右一対の第１係合突起２４が小突起状に突出形成され、一方、前記垂直係合壁２２の下端部に前記ケース部１２の対向垂直側壁１２ｂの第２係合孔１４に係入する左右一対の第２係合突起２５が短柱状に突出形成されている。
【００１７】
それ故に、本発明は、トロヨケ１１のケース部１２の水平側壁１２ｃと受け体２１の上下方向の端部に互いに係合となる第１の位置変位規制手段１３、２４を形成し、また、前記ケース部１２の垂直底壁１２ａに直交する左右の対向垂直側壁１２ｂと前記用受け体２１の左右の垂直係合壁２２に互いに係合となる第２の位置変位規制手段１４，２５を形成したことを特徴とする（特徴事項の１）。
【００１８】
（４）前面取付け板３１
前面取付け板３１は、例えば図１で示すように、上下方向に長尺の平板体で、周知のように、上下の端部には固着具７用の不番の取付け小孔が形成されている。前面取付け板３１の長さは、当然のことながら、トロヨケ１１の長さに合うように寸法設定され、該トロヨケ１１と共に縦枠２の前壁４に固定される。
【００１９】
ところで、トロヨケ１１の前面開口と連通する前面取付け板３１の段差状の縦長開口３２は、矩形状の嵌合開口３２ａと、この嵌合開口３２ａよりも若干幅狭であると共に、該嵌合開口３２ａに上下方向に連通する縦長状のストライク開口３２ｂとから構成され、前記嵌合開口３２ａには、受け体２１の係止壁２３がフイット状態に嵌合する。したがって、受け体２１の矩形状係止壁２３は、矩形状嵌合開口３２ａの内周縁に係止される。
【００２０】
また、本実施例では、前面取付け板３１の内壁側に支持片３３が設けられ、該支持片３３の左右の端面３３ａは、図２で示すように、前面取付け板３１を戸枠１の縦枠２に固定したとき、トロヨケ１１内に入り込んで、受け体２１の左右の垂直係合壁２２の内壁面に支え棒の如く当接する（特徴事項の２）。
【００２１】
なお、図２に於いて、４０は戸（例えば引戸）、４１は戸先に設けた錠前、４２は錠前のフロントから進出する錠片（カマ片、カマ片及びデッドボルト）４２であり、閉戸時、前記錠片４２の突出先端部が受け体２１の係止壁２３の裏面に係止される。
【実施例】
【００２２】
この欄では、本願発明の効果について付言する。発明の実施の形態で示した実施例に於いて、受け体２１をトロヨケ１１内に嵌め込む際には、その左右の袖部に相当する下端部を指で摘んで若干内側に変位させ、その変位状態に於いて、上端部の第１係合突起２４をトロヨケ１１の上壁１２ｃの第１係合孔１３に嵌め込み、該嵌め込み状態で下端部の第２係合突起２５をトロヨケ１１の対向垂直側壁１２ｂの第２係合孔１４に嵌め込む。
しかる後に、前面取付け板３１の支持片３３を、受け体２１の前記垂直係合壁２２の袖部（下端部）の内壁面に摺接するように入れ込んで、受け体２１の前記第２係合突起２５をトロヨケ１１の対向垂直側壁１２ｂの前記第２係合孔１４に確実に係入させる。これによって、受け体２１の垂直係合壁２２は、前面取付け板３１の支持片３３とトロヨケ１１の対向垂直側壁１２ｂによって挟着されるので、発明の効果の欄で説明したように各部材がバラバラに成らないという利点がある。
【産業上の利用可能性】
【００２３】
本発明は、主に錠前や建具の業界で利用される。
【図面の簡単な説明】
【００２４】
図１乃至図５は本発明の最良の実施例を示す各説明図。
【図１】発明の実施の環境を示す分解斜視図
【図２】使用時における各部材の位置関係を示す概略説明図。
【図３】主要部の縦断面概略説明図。
【図４】正面視からの説明図。
【図５】平面視からの説明図。
【符号の説明】
【００２５】
Ｘ…錠前用受け具、1…戸枠、２…縦枠、３…取付け開口、４…前壁、４ａ…前壁の内壁面、５…底壁、５ａ…底壁の内壁面、６…左右の側壁、７…固着具、１１…トロヨケ、１２…ケース部、１２ａ…垂直底壁、１２ｂ…対向垂直側壁、１２ｃ…一方の水平側壁（例えば上壁）、１２ｄ…他方の水平側壁（例えば下壁）、１３…第１係合孔、１４…第２係合孔、１５…取付け突片、２１…錠片用受け体、２２…垂直係合壁、２３…係止壁、２４…第１係合突起、２５…第２係合突起、２６…開口（切欠）、３１…前面取付け板、３２…縦長開口、３３…支持片、３３ａ…左右の端面、４０…戸、４１…錠前、４２…錠片。
【図１】
2010037778.tif 000003
【図２】
2010037778.tif 000004
【図３】
2010037778.tif 000005
【図４】
2010037778.tif 000006
【図５】
2010037778.tif 000007